(57)【要約】【課題】余白無し印字時における定着性を良好にすることが可能な画像形成装置、画像情報生成方法及びコンピュータプログラムを提供することを目的とする。【解決手段】転写材Ｐの端を挟む領域に対応する端部領域Ａｅ、及び前記端部領域よりも内側の領域に対応する内部領域Ａｉからなるトナー像を像担持体１１上に形成し、前記像担持体上に形成したトナー像に基づく転写材上への転写を行い、前記転写が行われた転写材を定着装置３に挿通させることにより余白無し画像を形成する画像形成手段を備える画像形成装置であって、前記像担持体上に形成される前記端部領域に対応するトナー像には、トナー量を増加させる為のトナー量アップ処理が行われており、前記画像形成手段は、前記端部領域において前記トナー量アップ処理が行われたトナー像を前記像担持体上に形成することを特徴とする画像形成装置。【選択図】図８
2010044108.tif 000002
【特許請求の範囲】
【請求項１】
転写材の端を挟む領域に対応する端部領域、及び前記端部領域よりも内側の領域に対応する内部領域からなるトナー像を像担持体上に形成し、前記像担持体上に形成したトナー像に基づく転写材上への転写を行い、前記転写が行われた転写材を定着装置に挿通させることにより余白無し画像を形成する画像形成手段を備える画像形成装置であって、
前記像担持体上に形成される前記端部領域に対応するトナー像には、トナー量を増加させる為のトナー量アップ処理が行われており、
前記画像形成手段は、前記端部領域において前記トナー量アップ処理が行われたトナー像を前記像担持体上に形成することを特徴とする画像形成装置。
【請求項２】
前記トナー像は、画像情報に基づき形成されるものであり、
前記トナー量アップ処理として、前記端部領域に対応する部分の前記画像情報について、前記像担持体に形成されるトナー像におけるトナー量を増加させる為の画像処理を行う処理手段を有することを特徴とする請求項１に記載の画像形成装置。
【請求項３】
前記トナー量アップ処理を行うか否かの閾値が設定されており、前記トナー量アップ処理は、前記端部領域のトナー像を形成する為の画像情報であって、かつ閾値以上の階調の画像情報に対して階調を増加させる画像処理であることを特徴とする請求項１または２に記載の画像形成装置。
【請求項４】
階調の高い画像情報に対する前記トナー量アップ処理は、階調の低い画像情報に対するトナー量アップ処理よりも、より多くのトナーを用いてトナー像が形成されるようにする処理であることを特徴とする請求項１または２に記載の画像形成装置。
【請求項５】
前記トナー量アップ処理の対象となる端部領域の前記転写材の端と垂直方向の幅は、前記トナー像が前記転写材からはみ出す幅の２倍の長さであることを特徴とする請求項１乃至４の何れか１項に記載の画像形成装置。
【請求項６】
前記端部領域の転写材内側のはみ出し幅が、１ｍｍ以上５ｍｍ以下であることを特徴とする請求項１乃至５いずれか１項に記載の画像形成装置。
【請求項７】
前記端部領域は、先端部、後端部、右端部及び左端部からなり、前記トナー量アップ処理は、前記先端部、後端部、右端部及び左端部の少なくとも何れか一つの領域に対応するトナー像について行われることを特徴とする請求項１乃至６の何れか１項に記載の画像形成装置。
【請求項８】
前記端部領域のトナー像に対して施されている前記トナー量アップ処理は、前記トナー量アップの対象となる注目色に対して相対的に視認性の低い色のトナー量を増加させることで行われることを特徴とする請求項１乃至７の何れか１項に記載の画像形成装置。
【請求項９】
前記注目色は、ブラック或いはマゼンタであり、前記相対的に視認性の低い色は、イエロー或いはイエロー及びマゼンタ及びシアンの混色であることを特徴とする請求項８に記載の画像形成装置。
【請求項１０】
画像不良が発生する際の前記注目色のトナー量の全トナー量に対する割合は、前記相対的に視認性の低い色のトナー量に基づくものであることを特徴とする請求項８又は９に記載の画像形成装置。
【請求項１１】
前記トナー量アップ処理は、閾値を超えた前記注目色のトナーを前記相対的に視認性の低い色のトナーで置きかえることで前記トナー量アップの対象となる注目色画像に対して相対的に視認性の低い色のトナー量を増加させることを特徴とする請求項８乃至１０の何れか１項に記載の画像形成装置。
【請求項１２】
画像形成装置において転写材の端を挟む領域に対応する端部領域、及び前記端部領域よりも内側の領域に対応する内部領域のトナー像を像担持体上に形成し、前記像担持体上に形成したトナー像に基づく転写材上への転写を行い、前記転写が行われた転写材を定着装置に挿通させることにより余白無し画像を形成する為の画像情報を生成する画像情報生成方法であって、
前記端部領域に対応する画像情報について、前記像担持体に形成されるトナー像におけるトナー量を増加させる為のトナー量アップ処理を行う処理工程を有することを特徴とする画像情報生成方法。
【請求項１３】
画像形成装置において転写材の端を挟む領域に対応する端部領域、及び前記端部領域よりも内側の領域に対応する内部領域のトナー像を像担持体上に形成し、前記像担持体上に形成したトナー像に基づく転写材上への転写を行い、前記転写が行われた転写材を定着装置に挿通させることにより余白無し画像を形成する為の画像情報を生成する処理をコンピュータに実行させる為のコンピュータプログラムであって、
前記端部領域に対応する画像情報について、前記像担持体に形成されるトナー像におけるトナー量を増加させる為のトナー量アップ処理を行う処理工程をコンピュータに実行させることを特徴とするコンピュータプログラム。
【発明の詳細な説明】
【技術分野】
【０００１】
本発明は，電子写真方式にて像担持体上に形成したトナー像を転写材に転写し，その後定着することによって転写材上に定着画像を得る複写機、プリンタ等の画像形成装置、画像情報生成方法、及びコンピュータプログラムに関する。
【背景技術】
【０００２】
像担持体表面に形成したトナー像を、紙等の転写材に転写する工程を含む周知の電子写真方式の画像形成装置がある。また、カラー画像形成装置としては、複数の感光体を一列に並べて、各感光体で順次トナー像を形成し、そのトナー像を転写材に直接あるいは中間転写体を介して転写する装置構成が一般的である。
【０００３】
近年のプリンタ需要の多様化から、特にカラー画像形成装置において、余白無し印字に対する要望が高まっている。従来から画像に対して一回り大きな転写材を用い、印字後にその余白を切断する方法が知られたいる。一方、この切断する作業を簡略化するため、予め転写材上の周囲に余白マージンを作らず、転写材全面に画像印字を行う、いわゆる余白無し印字の必要性が高まっている。
【０００４】
インクジェット方式の画像形成装置においては、既に、余白無し印字機能を備えた装置が市場投入され、例えば特許文献１等にその技術が開示されている。
【特許文献１】特開平１０−３３７８８６号公報
【発明の開示】
【発明が解決しようとする課題】
【０００５】
余白無し印字に対応している電子写真方式のフルカラー画像形成装置を実現しようとする際、以下の技術課題が生じる。
【０００６】
画像形成動作中に、トナー像の転写工程を終えた転写材上には、転写材表面のみならず、転写材を取り囲む周囲四辺部に位置する転写材端面の少なくとも何れかに対して、トナーが転写される場合がある。このとき、この転写材が定着器内に進入する際、転写材端部のトナーが定着ニップにおいて紙に定着せず定着不良を起こしてしまう。そして、定着フィルム及び加圧ローラ表面上にオフセットしてしまう現象が発生する場合がある。また、このオフセットが発生した場合、オフセットトナーが転写材表面及び裏面に再付着すると転写材のトナー汚れとなり、結果として画像不良が発生してしまう。
【０００７】
本発明は、以上の点に着目してなされたものであり、余白無し印字時における定着性を良好にすることが可能な画像形成装置、画像情報生成方法及びコンピュータプログラムを提供することを目的とする。
【課題を解決するための手段】
【０００８】
本発明は、上述の目的を達成するため、以下（１）〜（３）の構成を備えるものである。
【０００９】
（１）転写材の端を挟む領域に対応する端部領域、及び前記端部領域よりも内側の領域に対応する内部領域からなるトナー像を像担持体上に形成し、前記像担持体上に形成したトナー像に基づく転写材上への転写を行い、前記転写が行われた転写材を定着装置に挿通させることにより余白無し画像を形成する画像形成手段を備える画像形成装置であって、前記像担持体上に形成される前記端部領域に対応するトナー像には、トナー量を増加させる為のトナー量アップ処理が行われており、前記画像形成手段は、前記端部領域において前記トナー量アップ処理が行われたトナー像を前記像担持体上に形成することを特徴とする画像形成装置。
【００１０】
（２）画像形成装置において転写材の端を挟む領域に対応する端部領域、及び前記端部領域よりも内側の領域に対応する内部領域のトナー像を像担持体上に形成し、前記像担持体上に形成したトナー像に基づく転写材上への転写を行い、前記転写が行われた転写材を定着装置に挿通させることにより余白無し画像を形成する為の画像情報を生成する画像情報生成方法であって、前記端部領域に対応する画像情報について、前記像担持体に形成されるトナー像におけるトナー量を増加させる為のトナー量アップ処理を行う処理工程を有することを特徴とする画像情報生成方法。
【００１１】
（３）画像形成装置において転写材の端を挟む領域に対応する端部領域、及び前記端部領域よりも内側の領域に対応する内部領域のトナー像を像担持体上に形成し、前記像担持体上に形成したトナー像に基づく転写材上への転写を行い、前記転写が行われた転写材を定着装置に挿通させることにより余白無し画像を形成する為の画像情報を生成する処理をコンピュータに実行させる為のコンピュータプログラムであって、前記端部領域に対応する画像情報について、前記像担持体に形成されるトナー像におけるトナー量を増加させる為のトナー量アップ処理を行う処理工程をコンピュータに実行させることを特徴とするコンピュータプログラム。
【発明の効果】
【００１２】
本発明によれば、余白無し印字を行うことのできる電子写真方式の画像形成装置において、余白無し印字時における定着性を良好にできる。
【発明を実施するための最良の形態】
【００１３】
以下、本発明を実施するための最良の形態を、実施例により詳しく説明する。ただし、この実施の形態に記載されている構成要素はあくまで例示であり、本発明の範囲をそれらのみに限定する趣旨のものではない。
【実施例１】
【００１４】
以下、本発明に係る画像形成装置を図面に則して詳しく説明する。
【００１５】
［画像形成システム図］
図１は画像形成装置と画像送信装置の接続を示す画像形成システム図である。
【００１６】
本実施形態の画像形成装置１００は、図１に示すように、画像送信装置としてのパソコン１０１とケーブル１０２を介して接続される。画像情報は、パソコン１０１からケーブル１０２を経由してコントローラ１０３に送信され、後述する画像データ処理を実施した後に、プリンタエンジン制御部１０４に送信される。
【００１７】
また、画像形成装置１００は、転写材Ｐに対して、余白無し印字を行うための第一の画像形成モードである余白無し印字モードと、通常の余白有りの印字を行うための第二の画像形成モードである余白有り印字モードによる画像形成を実施する機能を備えている。ここで、余白無し印字とは、縁無し印刷などと呼ばれるものであり、転写材の全域において画像を形成する画像形成方式のことをいう。これに伴い、以下の説明において、前記転写材の全域において画像を形成する画像形成モードを余白無し印字モードという。また、前記転写材の周囲四辺部の所定領域を除く領域内において画像を形成する画像形成モードを余白有り印字モードという。
【００１８】
［画像形成装置の構成図］
図２は本実施例１における画像形成装置１００を示す断面図である。本実施例の画像形成装置として、図２に示すように、４ドラム、中間転写方式のフルカラープリンタを用いて説明する。本画像形成装置は、イエロー（Ｙ）、マゼンタ（Ｍ）、シアン（Ｃ）、ブラック（Ｋ）の４色の画像形成手段（画像形成ステーション１０）１０ａ〜１０ｄを有し、更に中間転写体としての中間転写ベルト１を含む転写装置および定着器（定着装置）３を有する。なお、４色の画像形成装置に必ずしも限定されることはなく、例えば、薄シアン、薄マゼンタなどを更に加えた６色画像形成装置であっても良い。
【００１９】
各画像形成ステーション１０ａ〜１０ｄは画像形成ユニットとしてユニット化され、それぞれ像担持体である感光体（ドラム状電子写真感光体）１１ａ〜１１ｄが矢印方向に回転可能に設置される。感光体１１ａ〜１１ｄの外周表面上に、それぞれ感光体表面を一様に帯電する一次帯電ローラ１２ａ〜１２ｄが配置される。一次帯電ローラ１２の感光体回転方向下流側には、画像情報に対応して変調されたレーザー光を感光体表面に発光（照射）し感光体表面を露光するレーザー露光器１３ａ〜１３ｄが配置される。さらにレーザー露光器１３の下流側には、レーザー露光により形成された感光体表面上の各色の静電潜像を、対応する色のイエロー、マゼンタ、シアン、ブラックのトナーを用いて現像する現像器１４ａ〜１４ｄが配置される。
【００２０】
感光体１１ａ〜１１ｄの中間転写ベルト１を挟んだ位置（転写位置）には、感光体とともに一次転写部を形成する一次転写ローラ１５ａ〜１５ｄが対向設置される。この一次転写ローラ１５ａ〜１５ｄには、それぞれ一次転写電源１６ａ〜１６ｄが接続され、それぞれ可変な一次転写電圧Ｖｙ、Ｖｍ、Ｖｃ、Ｖｋが印加される。
【００２１】
中間転写ベルト１は、駆動ローラ１ａ、テンションローラ１ｂ、二次転写対向ローラ１ｃの３本のローラに張架して設置され、各画像形成ステーション１０ａ〜１０ｄを縦貫して、感光体１１ａ〜１１ｄに接触配置される。中間転写ベルト１は、駆動ローラ１ａにより図の矢印方向に回転駆動される。感光体１１ａ〜１１ｄの一次転写ローラ１５ａ〜１５ｄの下流側には、ドラムクリーナ１７ａ〜１７ｄが設置される。また中間転写ベルト１の表面には、ベルトクリーナ４が配置される。
【００２２】
プリンタエンジン制御部１０４は、コントローラ１０３から受信した画像情報や各種指示に従い、プリンタエンジンの各部を制御する。なお、ここでのプリンタエンジンとは、概ね図２の画像形成装置１００におけるコントローラ１０３、プリンタエンジン制御部１０４を除く画像形成に係る動作を行う部分を指す。
【００２３】
以上のように構成された画像形成装置の画像形成動作について、イエローの画像形成ステーション１０ａを例にして説明する。イエローステーション１０ａの感光体１１ａは、アルミニウムの円筒体表面に光導電層を形成してなっており、矢印方向へ回転する過程で一次帯電ローラ１２ａにより、表面を一様にマイナス帯電（帯電電位＝−６００Ｖ）される。
【００２４】
ついで、パソコン１０１より送られた画像情報を、後述の画像データ処理によりレーザー発光強度や時間に変換し、レーザー露光器１３ａにより画像露光が行われる（露光後の表面電位＝−２００Ｖ）。その結果、感光体１１ａの表面に元画像のイエロー画像成分に対応した静電潜像が形成される。この静電潜像は、現像器１４ａによりマイナス帯電したイエロートナーを用いて現像され、静電潜像がイエロートナー像として可視化される。
【００２５】
得られたイエロートナー像は、一次転写ローラ１５ａに一次転写電源１６ａから一次転写電圧を印加することによって、中間転写ベルト１上に一次転写される。転写後の感光体１１ａは、表面に付着している転写残トナーがドラムクリーナ１７ａによって除去され、次の画像形成に供される。
【００２６】
以上の画像形成動作を、各画像形成ステーション１０ａ〜１０ｄにおいて所定のタイミングを持って行い、感光体１１ａ〜１１ｄ上のトナー像をそれぞれの一次転写部で中間転写ベルト１上に順次重ねて一次転写する。フルカラーモードの場合は、中間転写ベルト１に対してイエロー、マゼンタ、シアン、ブラックの順でトナー像を順次転写し、モノカラーモードの場合は、ブラックトナー像が上記と同じ順で転写される。その後、中間転写ベルト１上の４色のトナー像は、中間転写ベルト１の矢印方向の回動にともない、二次転写ローラ２が中間転写ベルト１を挟んで接地された二次転写対向ローラ１ｃと当接された二次転写ニップ部に移動される。そこに給送ローラ９により所定のタイミングをもって供給された転写材Ｐ上に接する二次転写ローラ２に、二次転写電源２１から二次転写電圧を印加する。これによりトナー像は一括して転写材Ｐに二次転写される。二次転写後の中間転写ベルト１表面に付着している転写残トナーはベルトクリーナ４によって除去され、次の画像形成に供される。
【００２７】
二次転写ニップ部を通過した未定着トナー像を載せた転写材Ｐは、定着器３へと搬送され、加熱・加圧されて定着画像となる。また、定着装置３から排出された転写材Ｐは、装置外の排出トレイ８に排出される。
【００２８】
［転写材カセットについての説明］
図３により転写材カセット５を説明する。図３は転写材カセット５の斜視図である。
【００２９】
図３に示すように、転写材カセット５内にある一対の長手位置規制板５２により、各回転体の長手中心に対して、長手中心が一致するように（走査方向の中心）転写材Ｐは整列され蓄積される。なお、ここでの回転体とは、感光体１１ａ〜１１ｄ、中間転写ベルト１、定着フィルム３０、加圧ローラ３１である。
【００３０】
これにより、転写材カセット５から取り出された転写材Ｐは、感光体１１ａ〜１１ｄ、中間転写ベルト１、定着フィルム３０、加圧ローラ３１と、長手中心が整列した状態で二次転写ニップ部、定着ニップ部に挿通される。つまり、本実施形態の画像形成装置はいわゆる中央基準構成となっている。ピックアップローラ対５１により転写材カセット５から取り出された転写材Ｐは、給送装置６の搬送ローラ６１と、給送ローラ９により、中間転写ベルト１上のトナー像に同期した所定のタイミングで二次転写ニップ部に挿通される。
【００３１】
［余白有り印字モードと余白無し印字モード時の画像形成領域について］
ここで、余白無し印字モード時の、転写材Ｐに対する画像形成拡大領域について、図４を用い説明する。
【００３２】
本画像形成装置において転写材Ｐに余白有り印字を行う場合、転写材Ｐのサイズに対する印字領域を規定するマスク領域Ｅは、図４（ａ）に示す領域である。つまり、転写材Ｐの先端、後端、左端、右端について各々２ｍｍ内側までの領域である。なお、マスク領域Ｅの内側のタイミングにおいて、レーザー露光器１３は感光ドラム上にトナー像を可視化現像する為の静電潜像を形成すべく、画像データに従うレーザービーム発光を行う。
【００３３】
これに対し、転写材Ｐに余白無し印字を行う場合には、マスク領域Ｅが、余白有りの印字を行う場合に対して拡大され、図４（ｂ）に示す領域となる。具体的には、転写材Ｐの先端、後端、左端、右端について各々２ｍｍの幅を有する画像形成拡大領域Ｂの分だけ転写材Ｐよりも大きな領域となる。
【００３４】
なお、二次転写部における中間転写ベルト１と転写材Ｐとの接点においては、メカ的精度や転写効率の関係で移動速度差が生じており、たとえば、転写材Ｐの移動速度が中間転写ベルト１の移動速度よりも早い場合がある。この場合、転写材Ｐへの二次転写後の画像の移動方向長さは長くなることになる。従って、このような場合には、上述の画像形成拡大領域Ｂの先端、後端について、二次転写後に各々２ｍｍの幅の画像形成拡大領域が形成されるように、感光体１１ａ〜１１上にトナー像（静電潜像）が形成される。
【００３５】
こうして、画像形成拡大領域Ｂの画像部分までを含めた画像が感光体上に形成され、中間転写ベルト１上に一次転写された後に、転写材Ｐ上に二次転写される。この二次転写工程において、中間転写ベルト上の画像と転写材Ｐとの間の位置関係に多少のずれが生じたとしても、上記画像形成拡大領域を設けた効果により、転写材Ｐ上には余白無し印字画像が確実に得られる。
【００３６】
なお、二次転写の際、転写材Ｐより外側の画像形成拡大領域におけるトナー像の一部は、二次転写ローラ２上に付着することになる。本トナーは、二次転写ローラ２に当接している二次転写ローラクリーナ２２で除去される。
【００３７】
かくして、４色のトナー像が転写、定着された余白無しのフルカラー画像が転写材Ｐ上に得られる。
【００３８】
［オフセットについて］
本画像形成装置において、二次転写ニップ部において二次転写工程を終えた転写材Ｐ上には、表面のみならず転写材端面にもトナーが転写される。図５は転写材端面へ転写されたトナーの付着状態を示す斜視図である。なお「転写材端面」とは、図５に示したように転写材の側面を意味するものとする。
【００３９】
転写材Ｐが定着器３内に進入した際、定着ニップ部において転写材端面上のトナーが転写材Ｐに対して十分に定着せず、定着フィルム３０及び加圧ローラ３１の表面上にオフセットする現象が発生する。図６にトナーがオフセットする様子の一例を示す。本オフセットは、転写材Ｐの端面においてトナー像に過剰な熱が与えられ、トナーが過溶融状態となり、転写材Ｐ上へ定着せずに定着フィルム及び加圧ローラに転移する、いわゆるホットオフセット現象である。
【００４０】
転写材の端面においては、転写材内側の通常の表面部分と比較して、特に、ホットオフセットが発生し易い。その理由は以下の通りである。
【００４１】
つまり、転写材が定着フィルム３０と加圧ローラ３１で形成される定着ニップに挿通される際、転写材内側の部分においては、転写材表面が定着ニップ内の全体に亘って配置され、定着性確保に必要十分な量の熱量が均一に付与される。ところが、転写材端面及びその近傍部分においては、定着ニップ内に転写材及びトナー像が存在する部分としない部分とが共存する。つまり、転写材及びトナー像が存在する／しないの境界部分における転写材端面に対して、転写材及びトナー像が存在しない部分に対応する定着フィルム３０からの熱が集中的に付与される。このため、熱供給過多によるホットオフセットが生じ易い。
【００４２】
本実施例におけるオフセットに起因する転写材のトナー汚れは、以下の特徴を有する。
【００４３】
（イ）転写材端部に転写された画像を形成する各色合計トナー量が少ない場合に、発生し易い。トナー像内の個々のトナーに与えられる熱量が増加し熱供給過多となり、ホットオフセットが生じるためである。
【００４４】
（ロ）転写材端部に転写された画像を形成するトナーの色によって、見かけ上の転写材のトナー汚れレベルが変化する。通常使用される白色の転写材上では、ブラックトナーが最も目立ち易く、次いで、マゼンダ、シアントナーの順に目立つ。イエロートナーは比較的目立ち難い。
【００４５】
なお、本実施例では上に述べた通りであるが、例えば上記（ロ）について必ずしもこれに限定される訳ではない。トナー特性や画像プロセス条件等が異なる場合には、例えばシアンの色についてオフセットによる汚れのレベルが一番大きい場合も想定される。この場合には、実施例におけるシアンをオフセットレベルが高いトナー量アップの対象となる注目色画像とし、それに対して相対的に視認性の低い例えばＹのトナー量を増加させる画像処理を行えば良い。また、他の視認性の低いトナー色が画像形成装置本体に装着されている場合には、その視認性の低い他の色を用いてトナー量を増加させても良い。
【００４６】
［コントローラ１０３について］
図１において説明したコントローラ１０３について、図７を用いて更に詳細に説明する。
【００４７】
コントローラ１０３は、ＣＰＵバス１０３０１を介して相互に接続されたホストインタフェース部１０３０２、プリンタエンジンインタフェース部１０３０３、ＲＯＭ１０３０４、ＲＡＭ１０３０５、及びＣＰＵ１０３０６等の各デバイスを備えている。ＣＰＵバス１０３０１は、アドレス、データ、コントロールバスを含む。
【００４８】
ホストインタフェース部１０３０２は、ネットワークを介してパソコン等のデータ送信装置と双方向に通信接続する機能を有する。プリンタエンジンインタフェース部１０３０３は、プリンタエンジン制御部１０４と双方向に通信接続する機能を有する。このプリンタエンジンインタフェース部１０３０３を介してコントローラ１０３はプリンタエンジン制御部１０４に画像情報の送信や各種指示を行うのである。
【００４９】
ＲＯＭ１０３０４は、本発明に係る処理（後述する画像データ処理とトナー量ＵＰ処理）や、その他の処理を実行するための制御プログラムコードを保持する。ＲＡＭ１０３０５は、画像形成装置インタフェース部１０３０３で受信した画像情報をレンダリング或いは色変換した結果のビットマップデータを保持したり、一次的なバッファエリアや各種処理ステータスを保持したりするためのメモリである。ＣＰＵ１０３０６は、ＲＯＭ１０３０４に保持された制御プログラムコードに基づいて、ＣＰＵバス１０３０１に接続された各デバイスを制御する。
【００５０】
なお、以下の説明においては、ＣＰＵ１０３０６を処理の主体に説明を行っていくが、上に説明したコントローラ１０３の構成は一実施例を示すものであり、必ずしもこれに限定されるものではない。例えば特定用途向け集積回路（ＡＳＩＣ）やＳＯＣ（Ｓｙｓｔｅｍ  Ｏｎ  Ｃｈｉｐ）をコントローラ１０３に設け、ＡＳＩＣやＳＯＣにＣＰＵによる処理の一部或いは全てを行わせても良い。
【００５１】
［画像データ処理について］
本画像形成装置における画像データ処理を、図８に示すフローを用いて説明する。以下で説明する処理は、ＣＰＵ１０３０６によってＲＯＭ１０３０４に格納された制御プログラムがＲＡＭ１０３０５にロードされて実行される。
【００５２】
まずステップＳ８００１では、パソコン１０１からネットワーク等を介して送信されてくる画像情報、及び、紙サイズ、動作モード等の各種印字設定情報を受信する。なお、画像情報と各種印字設定情報とを印刷ジョブデータと呼ぶこともある。また、ここで動作モードには少なくとも図１において説明した「余白有り印字モード」と「余白無し印字モード」が含まれている。
【００５３】
画像情報がカラー画像に関するものである場合には、ＲＧＢ（レッド、グリーン、ブルー）データによる色情報の形式となっており、ステップＳ８０１ではそれぞれの色情報が本装置で再現可能なデバイスＲＧＢデータに割り付けられ、変換される。
【００５４】
続いてステップＳ８０２において画像情報の色情報は、デバイスＲＧＢデータからデバイスＹＭＣＫ（イエロー、マゼンダ、シアン及びブラック色）データに変換される。ＹＭＣＫデータの各階調値は、各色画像形成ステーションのレーザーが全点灯した場合に転写材上に転写される単位面積当たりのトナー量に対する、トナー量の比を表すものと定義される（０〜１００％）。たとえば５０％のＹのデータに従い感光体上にレーザーを照射すると、１００％のデータで照射した場合の半分の重さのトナーが結果として転写材に転写されることとなる。
【００５５】
ステップＳ８０３で余白有り印字モードと判断された場合には、ステップＳ８０２の後にステップＳ８０５へと進む。なお、ステップＳ８０５へと進む前に、画像情報に対しては、従来から知られている、余白有り印字を想定したオフセットを軽減する為の画像処理等を行っても良い。或いは、オフセットを意識した画像処理は何も行わない様にしても良い。
【００５６】
ステップＳ８０５では、ＹＭＣＫデータに対して、各色の露光量と実際に使用されるトナー量との関係を示す階調テーブルを用いて、ＹＭＣＫ各色の露光量が算出される。
【００５７】
次いで、ステップＳ８０６では、各ピクセルに対して、各色の露光量（レーザビーム発光量）を、実際に用いる露光パターン（発光パターン）に変換し、露光出力（発光出力）する（Ｓ８０７）。
【００５８】
［トナー量ＵＰ処理（Ｓ８０４）について］
一方、余白無し印字モードの場合には、図４で説明したように、転写材Ｐに対する画像形成拡大領域を設けて画像形成動作が行われる。この場合、ステップＳ８０３で余白無し印字モードと判断され、ステップＳ８０２の後にステップＳ８０４が行われた後に、ステップＳ８０５へと進む。
【００５９】
余白無し印字モード時は、図９（ａ）に示したように、マスク領域Ｅ内の全面に亘って感光ドラム上に形成される画像のうち、転写材Ｐの端部領域Ａｅ内に含まれる画像情報について、トナー量ＵＰのための処理が行われる。より具体的には、トナー量アップ処理は、端部領域に対応する部分の画像情報について、像担持体に形成されるトナー像におけるトナー量を増加させる為の画像処理である。なお、内部領域Ａｉについては、ステップＳ８０３でＮＯと判断した場合と同様の画像処理或いは対処が行われるものとする。
【００６０】
端部領域Ａｅは、先端部、後端部、左端部、右端部の４つの部分からなる。先端部、後端部、差端部、右端部については、図９（ｂ）に示す通りである。図９（ａ）では、マスク領域Ｅ内における、転写材Ｐの先端、後端、左端、右端の各々に対する２ｍｍ内側の位置から２ｍｍ外側（マスク領域Ｅ）にかけての領域である。転写材の端を境に、外側と内側で夫々２ｍｍずつを、トナー量ＵＰ処理の対象となる端部領域としているので、印字動作中に画像と転写材Ｐとの間の位置関係がずれた場合にも、トナー量ＵＰ処理が転写材多面に確実に作用する。
【００６１】
なおトナー量アップ処理の対象となる端部領域Ａｅの転写材の端と垂直方向の幅が、画像（トナー像）と転写材との位置関係がずれを生じていないときのトナー像の転写材からのはみ出し幅の２倍の長さであるときに、効率よく対応できる。つまり、画像と転写材Ｐとの間の位置関係のズレがどのような場合にも柔軟に対応でき、且つトナー消費を浪費しない。
【００６２】
一方、内部領域Ａｉとは、マスク領域Ｅ内のそれ以外の領域、つまり転写材Ｐ（画像）の中心部から、先端、後端、左端、右端の各々に対する２ｍｍ内側の位置までの領域である。
【００６３】
端部領域Ａｅでは、ステップＳ８０２で決定されたデバイスＹＭＣＫデータに対し、各色データの合計値を増加させ、端部領域Ａｅにおけるトナー量をアップするための処理が行われる。一方の内部領域Ａｉでは、この処理は行われない。
【００６４】
例えば、画像パターンとして図１０に示す、画像部Ａ、Ｂ、Ｃを有するようなパターン、つまり端部領域Ａｅと内部領域Ａｉの両者にまたがるような画像部を有するパターンで画像形成が行われる場合について説明する。このパターンは、図４（ａ）のマスク領域Ｅと（ｂ）のマスク領域Ｅの間に画像部があると共に、転写材の内側にも画像部があるパターンである。この場合、各画像部を構成する画像ピクセルのうち、端部領域Ａｅ内に含まれるピクセルの画像情報についてのみ、ステップＳ８０４が行われる。一方、内部領域Ａｉ内に含まれるピクセルの画像情報については、ステップＳ８０４は行われない。
【００６５】
［トナー量ＵＰ処理の具体例１］
トナー量ＵＰステップＳ８０４の例として、ステップＳ８０２で決定されたＹＭＣＫデータが、Ｙ＝Ｍ＝Ｃ＝０％、０≦Ｋ≦１００％、つまりＫ単色系に属する色に対する処理について、図１１（ａ）のグラフを用いて説明する。なお、ＹＭＣＫデータの％の標記とはＹＭＣＫデータの階調値に対応するものであり、例えば８ビットで階調を表現する場合には、ＦＦＨが１００％となる。以降では特にことわりを入れない限り色データの階調を”％”を用いて表記することとする。このことは他の実施例についても同様とする。また、実際の画像形成においては、Ｙ＝Ｍ＝Ｃ＝０％、０≦Ｋ≦１００％以外の場合も想定されるが、常にＫの画像情報に対して、図１１（ａ）に示されるトナー量アップ処理を行っても良い。
【００６６】
図１１（ａ）のグラフは、ステップＳ８０２で決定された元のＫデータの階調をグラフ横軸に取り、ステップＳ８０４により新たに決定されたＹＭＣＫデータ、及び各色合計データの階調をグラフ縦軸に取り示したものである。
【００６７】
元のＫデータが０〜４０％の場合、Ｋデータがそのまま維持される。一方、元のＫデータが４０〜１００％の場合、つまり元のＫデータが閾値以上の階調を超えた場合に、元のＫデータに加え、各色０〜４５％程度のＹＭＣデータがそれぞれ付加される。このときの各色合計データは、グラフに示した通りである。
【００６８】
例えば、各色（Ｙ、Ｍ、Ｃ、Ｋ）データは、コントローラ１０３における処理上、それぞれ１バイトのデータとして扱われる。つまり、データ値０％は００ｈｅｘ、データ値１００％はＦＦｈｅｘ、その間の値は００ｈｅｘ〜ＦＦｈｅｘ内でリニアに補間された値とされる。例えば、元の画像データがＫデータ８０％である場合、同データはＣＣｈｅｘとして扱われる。そして、処理Ｓ８０４により決定されるデータは、図１１（ａ）の関係に基づき、Ｙデータが３３ｈｅｘ（２０％）、Ｍデータが２Ｂｈｅｘ（１７％）、Ｃデータが４Ｃｈｅｘ（３０％）、ＫデータがＣＣｈｅｘ（８０％）となる。
【００６９】
Ｋ単色系に属する色でも、Ｋデータが４０〜１００％程度の階調の色の画像が転写材端面にあると、ホットオフセットが発生し易い（Ｋデータが０〜４０％程度ではトナーの量が少なく、オフセットが発生してもオフセットトナー量が少なく目立ちにくい）。また、トナー色がブラックであるため、オフセットが発生した際の転写材のトナー汚れも目立ち易い。
【００７０】
このように入力されたＫデータの端部領域が４０〜１００％程度の場合に当該端部領域に対応させＹＭＣデータを付加し各色合計データを増加させて印字すると、あらゆる階調の場合においてオフセットによる転写材Ｐのトナー汚れの発生を抑制することができる。
【００７１】
これは、転写材端面の画像を形成するトナーの総量を増量してホットオフセットの発生を抑制し、且つ増量するトナーにＫトナーよりも転写材Ｐ上での視認性が相対的に低いＹＭＣの混色トナーを用いて、オフセットが発生しても目立たちにくくできるからである。
【００７２】
なお本処理は、ブラック色に対して、互いに混色するとプロセスブラック色となるＹＭＣトナーを付加するだけであるため、処理前の画像色に対する色味変化は低く抑制されている。
【００７３】
ここで、図１１（ｂ）を用いて、本トナー量ＵＰ処理による定着性向上によるオフセットトナー量の抑制効果を説明する。また図１１（ｃ）を用いて、本トナー量ＵＰ処理による定着性不良に起因するオフセット視認性の抑制効果を説明する。なお、上にも説明したが、図１１は、ＹＭＣＫデータが、Ｙ＝Ｍ＝Ｃ＝０％、０≦Ｋ≦１００％の場合を想定していることをここで述べておく。
【００７４】
図１１（ｂ）は、グラフ横軸にＫデータの階調を取ってある。また、グラフ縦軸にはオフセットトナー量を取ってある。
【００７５】
図１１（ｂ）では、トナー量ＵＰ処理前の元の画像情報に含まれるＫデータにより印字を行った場合と、トナー量ＵＰ処理後のＫデータを含む画像情報により印字を行った場合で、オフセットトナー量のピークがＫデータのどの階調で発生するかを示している。
【００７６】
元のＫデータによる印字では、Ｋデータが５０％〜１００％の階調（階調の幅Δ５０％）においてオフセットトナー量が多くなっている。また最もオフセットトナー量が多くなるのは、Ｋデータが７０％の階調の場合である。つまり、Ｋ単色で考えた場合に、トナー量ＵＰ処理前のＫデータが７０％の階調の場合のトナー量において、最もホットオフセットの発生が最も顕著となる。
【００７７】
一方、トナー量ＵＰ処理後のＫデータによる印字では、元のＫデータが４５％〜６０％の階調（階調の幅Δ１５％）においてオフセットトナー量が多くなっている。また最もオフセットトナー量が多くなるのは、元のＫデータが５０％の階調の場合である。このときの各色合計データ量（総トナー量）は、トナー量ＵＰ処理前でホットオフセットの発生が最も顕著になる場合と略同じトナー量となっている。
【００７８】
つまり、トナー量ＵＰ処理により、最もオフセットトナー量が多くなる合計トナー量時におけるＫデータの階調が低階調側にシフトしている（７０％→５０％）。従ってＫデータの全トナー量に対する割合は、視認性の低い色のトナー量に基づき小さくなっており、Ｋデータの全トナー量に対する割合がより少ない状態でホットオフセットが発生することになる。言い換えれば、一番視認性の高いＫのホットオフセット分が軽減されることになる。また、更に、オフセットトナー量が多くなる階調の幅が縮小されており（Δ５０％→Δ１５％）、階調全体に渡り、ホットオフセットの発生が抑制されていることが図１１（ｂ）から読み取れる。
【００７９】
また、図１１（ｃ）は、横軸に図１１（ｂ）と同じものを取り、グラフ縦軸にオフセット視認性レベルと取ってある。図１１（ｃ）では、元のＫデータによる印字を行った場合と、トナー量ＵＰ処理後のＫデータによる印字を行った場合におけるオフセット視認性レベルの対比が行われている。なお視認性レベルについては、既に知られている、様々な画像評価方法を採用することができ、それによって縦軸のパラメータは異なって来る。なお、ここでの詳しい説明は省略する。
【００８０】
元のＫデータによる印字では、前記オフセットトナー量に対応して、Ｋデータが５０％〜１００％の階調においてオフセット視認性レベルが高くなる。最もオフセット視認性レベルが高くなるのは、Ｋデータが７０％の階調である。
【００８１】
一方、トナー量ＵＰ処理後のＫデータによる印字でも、前記オフセットトナー量に対応して、元のＫデータが４５％〜６０％の階調においてオフセット視認性レベルが高くなる。最もオフセット視認性レベルが高くなるのは、元のＫデータが５０％の階調のときである。しかし、オフセットが大きい場合のＫデータの全体に対する割合が少なくなっているので、元のＫデータによる印字の場合と比べ、視認性のレベルは抑制されている。これは、トナー量ＵＰ処理により増量されたトナーがＹＭＣトナーであるためである。
【００８２】
［トナー量ＵＰ処理の具体例２］
他の例として、ステップＳ８０２で決定されたデバイスＹＭＣＫデータが、Ｙ＝Ｃ＝Ｋ＝０％、０≦Ｍ≦１００％、つまりＭ単色系に属する色の場合の処理について、図１２のグラフを用いて説明する。なお、図１２においても、ホットオフセットが発生した場合に目立ってくる注目色のＭに対して、相対的に視認性の低いＹによるトナー量ＵＰ処理を行うことにより、図１１の場合と同様にオフセットトナー量の抑止効果が得られるが、ここでの詳しい説明は省略する。
【００８３】
図１２のグラフは、ステップＳ８０２で決定された元のＭデータの階調をグラフ横軸に取り、ステップＳ８０４により新たに決定されたＹＭデータ、及び各色合計データの階調をグラフ縦軸に取り、示したものである。
【００８４】
元のＭデータが０〜４０％の場合、Ｍデータがそのまま維持される。一方、元のＭデータが４０〜１００％の場合、つまり元のＭデータが閾値以上の階調を超えた場合に、元のＭデータに加え、０〜４０％程度のＹデータが付加される。このときの各色合計データは、グラフに示した通りである。
【００８５】
Ｍ単色系に属する色でも、４０〜１００％程度のＭ色の画像が転写材端面にあると、ホットオフセットが発生し易い（Ｍデータが０〜４０％程度ではトナーの量が少なく、オフセットが発生してもオフセットトナー量が少なく目立ちにくい）。また、トナー色がマゼンダであるため、ブラック程ではないものの、やはり、オフセットが発生した際の転写材のトナー汚れが目立ち易い。
【００８６】
このような単色系に属する色の画像情報に対しても、端部領域においてＹデータを付加し、各色合計データを増加させて印字すると、あらゆる階調の場合においてオフセットによる転写材Ｐのトナー汚れの発生を抑制することができる。
【００８７】
これは、転写材端面の画像を形成するトナーの総量を増量することでホットオフセットの発生を抑制し、且つ増量するトナーにＭトナーよりも転写材Ｐ上での視認性が相対的に低いＹトナーを用い、オフセットが発生しても目立たちにくくできるからである。
【００８８】
本処理においても、マゼンダ色に対して、マゼンタ色に混色しても色味変化の比較的小さいＹトナーを付加するだけであるため、処理前の画像色に対する色味変化は低く抑制されている。
【００８９】
［トナー量ＵＰ処理の具体例３］
更に他の例として、ステップＳ８０２で決定されたデバイスＹＭＣＫデータが、Ｃ＝Ｋ＝０％、０≦Ｙ＝Ｍ≦１００％、つまり二次色Ｒｅｄ系に属する色の場合の処理について、図１３のグラフを用いて説明する。なお、図１３においても、注目色のＭに対して、相対的に視認性の低いＹによるトナー量ＵＰ処理を行うことで、図１１の場合と同様にオフセットトナー量の抑止効果が得られるが、ここでの詳しい説明は省略する。
【００９０】
図１３のグラフは、ステップＳ８０２で決定された元のＹ及びＭデータの階調をグラフ横軸に取り、ステップＳ８０４により新たに決定されたＹＭデータ、及び各色合計データの階調をグラフ縦軸に取り示したものである。元のＹ及びＭデータがそれぞれ０〜２０％の場合、Ｙ及びＭデータがそのまま維持される。一方、元のＹ及びＭデータがそれぞれ２０〜１００％の場合、つまり元のＹ及びＭデータが閾値以上の階調を超えた場合に、元のＭデータがそのまま維持されると共に、Ｙデータが０〜２５％程度増量される。このときの各色合計データは、グラフに示した通りである。
【００９１】
二次色Ｒｅｄ系に属する色でも、ＹとＭデータが２０％以上の階調の色の画像が転写材端面にあると、ホットオフセットが発生し易い（Ｙ及びＭデータが０〜２０％ではトナーの量が少なく、オフセットが発生してもオフセットトナー量が少なく目立ちにくい）。また、トナー色としてはマゼンダトナーが含まれるため、やはり、オフセットが発生した際の転写材のトナー汚れが目立ち易い。
【００９２】
このような色の画像に対しても、端部領域においてＹデータを増量し、各色合計データを増加させて印字すると、あらゆる階調の場合においてオフセットによる転写材Ｐのトナー汚れの発生を抑制することができる。これは、転写材端面のトナー像を形成するトナーの総量を増量してホットオフセットの発生を抑制し、且つ増量するトナーにＭトナーよりも転写材Ｐ上での視認性が相対的に低いＹトナーを用いて、オフセットが発生しても目立たちにくくできるからである。
【００９３】
本処理においても、Ｒｅｄ色に対して、Ｒｅｄ色への混色量が増しても色味変化の比較的小さいＹトナーを増量するだけであるため、処理前の画像色に対する色味変化は低く抑制されている。
【００９４】
［比較実験］
本実施例１の画像形成装置において余白無し印字モードで画像形成を行う際、トナー量ＵＰステップＳ８０４を行った場合と行わなかった場合とについて、印字画像レベルを比較した結果を図１４に示す。画像パターンとしては、前述したＫ単色系、Ｍ単色系、二次色Ｒｅｄ系の代表色である色＃１〜＃９画像を、転写材Ｐの端部領域Ａｅ内に配置したものを使用した。
【００９５】
実験Ｎｏ．１は、本実施例の構成による実験である。つまり、ステップＳ８０２で決定された元の画像情報に対してトナー量ＵＰステップＳ８０４を実施し、端部領域における各色合計トナー量を増量させて余白無し印字が行われた。
【００９６】
この場合、オフセットによる転写材のトナー汚れの発生のない良好な印字画像を転写材Ｐ上に得ることができた。また、ステップＳ８０４の導入により懸念される領域Ａｅ内と領域Ａｉ内における色味の違いによる画像品位の低下も、ほぼ問題ないレベルに抑制することができた。
【００９７】
一方、実験Ｎｏ．２は、比較例の構成による実験である。つまり、トナー量ＵＰステップＳ８０４を実行することなく、余白無し印字が行われた場合の結果を示す。この場合、色＃１〜＃９において、転写材端面に配置された画像のオフセットによる転写材のトナー汚れが、発生もしくは軽微に発生することが確認された。
【００９８】
以上説明したように、本実施例の画像形成装置では、余白無し印字を行うことのできる電子写真方式の画像形成装置において、余白無し印字時における定着性を良好にできる。
【００９９】
また、余白無し印字動作を行う際、端部領域と内部領域の夫々に同じ画像を形成するにしても、転写材の端部領域に配置される画像のトナー量を、内部領域に配置される場合に比べ増量して印字が行われる。従って、転写材の転写材端面に転写された画像が、定着器内でオフセットし転写材のトナー汚れとなることを良好に抑制した印字画像を得ることができる。
【０１００】
また、トナーの増量処理は、オフセットを発生した場合に目立ってくる注目色に対して相対的に視認性の低い色のトナー量を増加させているので、トナー量ＵＰ処理御に伴う色味変化を低く抑えることができる。よって、端部領域と内部領域との間の色再現性の違いによる画像品位の低下も抑制され、転写材の全域に渡る良好な印字画像が得られる。
【実施例２】
【０１０１】
本実施例２の装置は、実施例１の装置との対比において、図１５、１６に示すステップＳ８０４の色変換関係を除いて同じである。
【０１０２】
本実施例の画像形成装置も、イエロー（Ｙ）、マゼンタ（Ｍ）、シアン（Ｃ）、ブラック（Ｋ）の４色の画像形成手段を有し、さらに中間転写体としての中間転写ベルトを含む転写装置および定着器等を有するものとする。
【０１０３】
実施例１により、転写材の端部領域に配置される画像のトナー量ＵＰ処理により、余白無し印字の際の転写材のトナー汚れが良好に抑制されることを説明した。しかし、転写材の種類として、普通紙だけでなく、コート紙、光沢紙、光沢フィルム等といった種類の転写材上に余白無し印字を行う場合までを含め、転写材のトナー汚れを良好に抑制するためには、更にオフセットレベルを改善することが望ましい。上記のような転写材は表面平滑性が良いため、定着フィルムや加圧ローラ上に転移したオフセットトナーが表面に再付着し易く、且つ、トナーが転写材上で潰れて面積が拡がり易く、微量のオフセットトナーであっても目立ってしまう。
【０１０４】
本目的を達成するための構成について、以下に説明する。
【０１０５】
［トナー量ＵＰ処理の具体例４］
本実施例におけるトナー量ＵＰステップＳ８０４の例として、ステップＳ８０２で決定されたＹＭＣＫデータが、Ｙ＝Ｍ＝Ｃ＝０％、０≦Ｋ≦１００％、つまりＫ単色系に属する色に対する処理について、図１５（ａ）のグラフを用いて説明する。
【０１０６】
図１５（ａ）のグラフは、ステップＳ８０２で決定された元のＫデータの階調をグラフ横軸に取り、ステップＳ８０４により新たに決定されたＹＭＣＫデータ、及び各色合計データの階調をグラフ縦軸に取り示したものである。
【０１０７】
元のＫデータの階調が０〜４０％の場合、Ｋデータの階調はそのまま維持される。一方、元のＫデータの階調が４０〜１００％の場合、つまり元のＫデータが閾値以上の階調を超えた場合に、Ｋデータの階調が４０％に抑制され固定値とされ、加えて各色０〜７２％程度のＹＭＣデータがそれぞれ付加される。このときの各色合計データの階調は、グラフ破線で示した通りである。このように、図１５（ａ）のグラフによれば、閾値を超えたオフセットの発生し易い注目色のトナーを、相対的に視認性の低い色のトナーで置きかえることで、オフセットを目立たないようにしている。これは後述の図１６についても同様である。
【０１０８】
Ｋ単色系に属する色でも、４０〜１００％程度の階調のＫデータによる画像が転写材端面にあると、ホットオフセットが発生し易い（Ｋデータの階調が０〜４０％ではトナーの量が少ないので、オフセットが発生してもオフセットトナー量が少なく目立ちにくい）。また、トナー色がブラックであるため、オフセットが発生した際の転写材のトナー汚れも目立ち易い。
【０１０９】
このように４０〜１００％程度の階調のＫデータの場合にＫデータの階調を小さくし、代わりにＹＭＣデータを付加し、各色合計データを増加させて印字すると、何れの階調においても、オフセットによる転写材Ｐのトナー汚れの発生を、更に良好に抑制できる。
【０１１０】
これは、転写材端面形成されるトナーの総量を増量することでホットオフセットを抑制し、且つ転写材Ｐ上での視認性が高いＫトナーの割合を減らし、逆に視認性が相対的に低いＹＭＣトナーを用いることで、オフセットが発生しても目立たないからである。なお本処理も、ブラック色に対して、互いに混色するとプロセスブラック色となるＹＭＣトナーを付加するだけであるため、処理前の画像色に対する色味変化は最小限に抑制される。
【０１１１】
ここで、本トナー量ＵＰ処理によるオフセットトナー量の抑制効果は、基本的に図１１を用いて説明した場合と同様である。但し、図１５（ａ）の場合では、Ｋデータについて閾値以上の階調を取る場合、注目色（Ｋ）のトナーを、相対的に視認性の低い色のトナー（ＣＭＹ混色）で置きかえることで、トナー量ＵＰ処理が行われている。従って、Ｋデータがある閾値以上の階調を取る場合には、図１１の場合などと比べてＫデータに対応するトナー量が少ないので、よりオフセットを改善した画像形成物を得ることが出来る。その結果を図１５（ｂ）に示す。
【０１１２】
図１５（ｂ）は、グラフ横軸にＫデータの階調を取り、グラフ縦軸にはオフセット視認性レベルを取ってある。なお、画像評価方法、縦軸及び縦軸に何を割り当ててあるかについては図１１と同じとする。そして図１５（ｂ）により、トナー量ＵＰ処理前のＫデータによる印字を行った場合と、トナー量ＵＰ処理後のＫデータによる印字を行った場合におけるオフセット視認性レベルの対比が行われている。
【０１１３】
元のＫデータによる印字では、オフセットトナー量に対応して、Ｋデータが５０％〜１００％の階調においてオフセット視認性レベルが高くなる。最もオフセット視認性レベルが高くなるのは、Ｋデータが７０％の階調である。
【０１１４】
一方、トナー量ＵＰ処理後のＫデータによる印字でも、前記オフセットトナー量に対応して、元のＫデータが４５％〜６０％の階調においてオフセット視認性レベルが高くなる。最もオフセット視認性レベルが高くなるのは、元のＫデータが５０％の階調である。しかしながら、元のＫデータによる印字の場合と比べ、視認性のレベルは抑制されている。そして本抑制効果は、実施例１で図１１（ｃ）を用いて説明したものに対し、更に大きい。これは、トナー量ＵＰ処理によりＹＭＣトナーが増量されただけでなく、Ｋトナーが減量されているためである。
【０１１５】
［トナー量ＵＰ処理の具体例５］
他の例として、ステップＳ８０２で決定されたＹＭＣＫデータが、Ｙ＝Ｍ＝０％、０≦Ｃ＝Ｋ≦１００％、つまりＣとＫの混色系（青味がかった黒色）に属する色に対する処理について、図１６のグラフを用いて説明する。なお、図１６においても、注目色のＫに対して、相対的に視認性の低いＣＭＹ混色によるトナー量ＵＰ処理によっても、図１５の場合と同様にオフセットトナー量の抑止効果が得られるが、ここでの詳しい説明は省略する。
【０１１６】
図１６のグラフは、ステップＳ８０２で決定された元のＣ及びＫデータの階調をグラフ横軸にとり、ステップＳ８０４により新たに決定されたＹＭＣＫデータ、及び各色合計データの階調をグラフ縦軸にとり、示したものである。
【０１１７】
元のＣ及びＫデータがそれぞれ０〜２０％の場合、Ｃ及びＫデータがそのまま維持される。一方、元のＣ及びＫデータがそれぞれ２０〜１００％の場合、つまり元のＣ及びＫデータが閾値以上の階調を超えた場合に、Ｃデータがそのまま維持されるのに対し、Ｋデータは４０％以下に抑制され、加えて各色０〜３３％程度のＹＭデータが夫々付加される。このとき各色合計データは、グラフ破線で示した通りである。
【０１１８】
ＣとＫの混色系に属する色でも、ＣとＫデータが２０％以上の階調の色の画像が転写材端面にあると、ホットオフセットが発生し易い（ＣとＫデータが０〜２０％ではトナーの量が少ないので、オフセットが発生してもオフセットトナー量が少なく目立ちにくい）。また、トナー色としてブラックトナーが含まれるため、やはりオフセットが発生した際の転写材のトナー汚れが目立ち易い。
【０１１９】
このような色に対しても、端部領域において、Ｋデータを減量した上で、ＹＭデータを付加し、各色合計データの階調値を増加させて印字すると、あらゆる階調の場合においてオフセットによる転写材Ｐのトナー汚れの発生を抑制することができる。これは、転写材端面の画像を形成するトナーの総量を増量してホットオフセットの発生を抑制し、且つ、転写材Ｐ上での視認性が高いＫトナーを減らし、逆に視認性が相対的に低いＹＭトナーを用いて、オフセットが発生しても目立ちにくくできるからである。なお本処理も、ＣとＫの混色系の色に対して、さらに混色させても色味変化の比較的小さいＹＭトナーを付加するだけであるため、処理前の画像色に対する色味変化は低く抑制されている。
【０１２０】
以上説明したように、本実施例の画像形成装置では、余白無し印字を行うことのできる電子写真方式の画像形成装置において、余白無し印字時における定着性を良好にできる。また図１５、図１６に示されるように、オフセット発生時の注目色であるブラックの割合を実施例１以上に低くできるので、更に良好にオフセットを目立たなくすることが出来る。
【０１２１】
従って、普通紙のみならず、コート紙、光沢紙、光沢フィルム等の表面平滑性の良い転写材を用いて余白無し印字を行う場合まで含め、転写材端面に転写された画像が、定着器内でオフセットし、転写材のトナー汚れとなるのを抑制した印字画像を得ることができる。
【０１２２】
また、実施例２では図１５、図１６に示される如く、実施例１に比べてトナー消費量が多くなっている。従って、普通紙或いは普通紙に対応する印時モードの場合には実施例１を実行し、コート紙、光沢紙、光沢フィルム等とった表面平滑性の良い転写材を用いる場合或いはそれに対応した印字モードの場合には実施例２を実行するようにしても良い。こうすることで、効率的にオフセット状態を良好にするとともにトナー消費量をより少なくすることができる、ユーザビリティーをより向上させることが出来る。
【実施例３】
【０１２３】
本実施例３の装置は、実施例１の装置との対比において、図１７に示す端部領域Ａｅ、及び内部領域Ａｉの配置関係を除いて同じである。
【０１２４】
本実施例の画像形成装置も、イエロー（Ｙ）、マゼンタ（Ｍ）、シアン（Ｃ）、ブラック（Ｋ）の４色の画像形成手段を有し、さらに中間転写体としての中間転写ベルトを含む転写装置および定着器等を有するものとする。
【０１２５】
実施例１及び２により、転写材の端部領域に配置される画像のトナー量ＵＰ処理により、余白無し印字の際の転写材のトナー汚れを良好に抑制できることを説明した。しかし、印字動作中、中間転写ベルト上の画像と転写材Ｐとの間の位置関係に大きなずれが生じた場合には、トナー量ＵＰされた画像部が転写材Ｐの転写材端面に配置されず、オフセット抑制効果が得られなくなり、転写材のトナー汚れが発生するケースがあり得る。
【０１２６】
一方で、上記問題を回避するため、大きなずれが生じた場合でもトナー量ＵＰされた画像部が転写材Ｐの転写材端面に確実に配置されるよう、端部領域の幅を十分に大きく取ることも考えられる。しかし、端部領域の幅を拡大させると、端部領域の画像と内部領域の画像との間に存在する僅かな色味差であっても視認できるようになり、画像品位の低下につながる。
【０１２７】
上記問題を解決するためには、転写材に対してトナー量ＵＰの処理を行う領域を、適正に設定する必要がある。以下、本目的を達成するための構成について、前記処理領域を任意に変更することが可能な、本実施例の画像形成装置を用いて説明する。
【０１２８】
本実施例の画像形成装置では、トナー量ＵＰ処理が行われる端部領域Ａｅが、図１７のように、マスク領域Ｅ内における、転写材Ｐの先端、後端、左端、右端のＸ［ｍｍ］内側の位置から２ｍｍ外側（マスク領域Ｅ）にかけての領域とされている。Ｘ（転写材内側のはみ出し幅）の値は、０〜１０ｍｍまでの任意値が取れるようにされている。一方、内部領域Ａｉとしては、マスク領域Ｅ内のそれ以外の領域、つまり転写材Ｐの中心部から、先端、後端、左端、右端の各々からＸｍｍ内側の位置までの領域とされている。
【０１２９】
上記Ｘの値による画像レベルの変化を確認するため、各Ｘ値の設定で、印字画像レベルを比較する実験を行った。図１８にその結果を示す。画像パターンとしては、前述の実施例１で説明したＫ単色系、Ｍ単色系、二次色Ｒｅｄ系の各代表色を有する画像部を、転写材Ｐに対する端部領域Ａｅ内に配置したものとした。
【０１３０】
０ｍｍ≦Ｘ＜１ｍｍとした場合、領域Ａｅ内と領域Ａｉ内の画像の僅かな色味の違いは、領域Ａｅの面積が小さいために視認性が低く保たれた。一方、印字動作中に画像と転写材Ｐとの間の位置関係がずれた場合に、オフセットによる転写材のトナー汚れが発生した。領域Ａｅ内で画像のトナー量ＵＰが行われたのにも関わらず、転写材Ｐの転写材端面に配置されず、ホットオフセット抑制の効果が得られなくなった画像部分があった為である。
【０１３１】
１ｍｍ≦Ｘ≦３ｍｍとした場合、領域Ａｅ内と領域Ａｉ内の画像の僅かな色味の違いは、領域Ａｅの面積が小さいために依然として視認性が低く保たれた。また、印字動作中に画像と転写材Ｐとの間の位置関係がずれた場合にも、オフセットによる転写材のトナー汚れが発生することはなかった。
【０１３２】
３ｍｍ＜Ｘ≦５ｍｍとした場合、領域Ａｅの面積がやや大きくなり、領域Ａｅ内と領域Ａｉ内の画像の僅かな色味の違いが視覚的に認識されるようになったものの、画像品位の大きな低下までには至らなかった。また、印字動作中に画像と転写材Ｐとの間の位置関係がずれた場合にも、オフセットによる転写材のトナー汚れが発生することはなかった。
【０１３３】
Ｘ＞５ｍｍとした場合、領域Ａｅの面積が更に大きくなり、領域Ａｅ内と領域Ａｉ内の画像の色味の違いの視認性が上がり、画像品位の低下が見られるようになった。つまり、画像パターンとして前述の図１０に示したようなパターンを印字した際にも、領域Ａｅ内に含まれる画像部分の面積が増し、内部領域Ａｉ内に含まれる画像部分との色味差が、視覚的に認識され易いものとなった。一方で、印字動作中に画像と転写材Ｐとの間の位置関係がずれた場合にオフセットによる転写材のトナー汚れが発生することはなかった。
【０１３４】
ここで、本実施例３（及び実施例１、実施例２）における画像形成拡大領域Ｂの幅も、図４に示したように２ｍｍである。これは、本画像形成装置における中間転写ベルト上の画像と転写材Ｐとの間の位置関係のずれが最大の場合を想定した場合にも、転写材Ｐ上には余白無し印字画像が確実に得られるようにするためである。また、画像形成拡大領域幅が必要十分な大きさに設定されるため、余白無し印字に伴うトナー消費量の増加も抑制される。
【０１３５】
Ｘ値についてもこれと同じ２ｍｍに設定することで、上記に加え、中間転写ベルト上の画像と転写材Ｐとの間の位置関係のずれに関する、同じ最大の場合を想定した場合にも、オフセットを確実に抑制できるようにすることができるようになる。
【０１３６】
以上説明したように、本実施例の画像形成装置を用いた検討を行った結果、画像上でトナー量ＵＰ処理を行う領域を、転写材の周囲に対する１ｍｍ以上５ｍｍ以下の内側の位置から、転写材の外側へかけての領域とすることが望ましいことが分った。これにより、印字動作中に画像と転写材Ｐとの間の位置関係がずれた場合にも、トナー量ＵＰされた画像部が転写材Ｐ端部の転写材端面に確実に配置されるため、オフセットによる転写材のトナー汚れが良好に抑制される。一方、転写材の端部領域に配置される画像と内部領域に配置される画像間の色味の違いについても、常に視認性が低く保たれ、画像品位の低下が抑制される。
【実施例４】
【０１３７】
上述の各実施例においては、トナー量ＵＰ処理を行う領域が、転写材Ｐの端部領域を構成する先端部、後端部、左端部、右端部（図９（ｂ））の全ての領域とした。しかし、画像形成装置の特性に応じ、処理を実行する部分を、オフセットの発生し易い部分に限定することも可能である。
【０１３８】
例えば、画像形成動作が開始されると同時に定着器の前回転動作が開始され、転写材が定着ニップに到達する前に、定着器内の定着フィルムや加圧ローラに余熱が蓄えられる構成の画像形成装置がある。このような画像形成装置では、転写材Ｐの先端部におけるオフセットの方が、後端部、左端部、右端部よりも発生し易い傾向にある。定着器に転写材Ｐの先端部が侵入し定着工程が開始されると、定着器から徐々に余熱が奪われるため、転写材Ｐの後端部、左端部、右端部では相対的にオフセットが発生しにくい傾向となる。このような画像形成装置では、先端部のみに対して、トナー量ＵＰ処理を適用すればよい。また、先端部のみならず、トナー量アップ処理は、オフセットが発生し易い先端部、後端部、右端部及び左端部の少なくとも何れか一つの領域に対応するトナー象について行うようにしても良い。
【０１３９】
また、各実施例で説明した画像形成装置は、定着器として、定着フィルムを採用した「フィルム定着方式」のものを備えていた。なお、定着フィルムとしては、例えば、厚み５０μｍのポリイミド樹脂の表面に厚み１０μｍのフッ素樹脂を被覆した、直径２４ｍｍのフィルム体が用いられる。定着フィルム内部にはセラミックヒータが配置され、定着フィルムは対向配置された加圧ローラに対して、２００〜４００Ｎ程度の圧力で当接される。加圧ローラとしては、例えば、芯金の外周に厚み３ｍｍのシリコンゴム層を設け、更にその表面に厚み１５μｍのフッ素樹脂層を被覆した、直径２５ｍｍのローラ体が用いられる。
【０１４０】
一方、定着フィルムに代えて定着ローラを採用した、「ローラ定着方式」の定着器を有する画像形成装置がある。定着ローラとしては、例えば、外径４６ｍｍ、厚み２ｍｍの鉄の芯金上に、厚み２ｍｍのシリコンゴム層を設け、更にその表面に厚み２０μｍのフッ素樹脂を設けたローラ体が用いられる。定着ローラ内部にはハロゲンヒータが配置され、定着ローラは対向配置された加圧ローラに対して、５００〜８００Ｎ程度の圧力で当接される。加圧ローラとしては、上記同様のものが用いられる。
【０１４１】
一般に、前記「フィルム定着方式」の定着器は、短時間の温度立上げによりオンデマンドな定着動作が可能であること、前記「ローラ定着方式」の定着器は、高い当接圧により印字画像サンプル上の高い光沢性が得られること、がそれぞれ特徴的である。
【０１４２】
勿論上で説明してきたトナー量ＵＰ処理は、上記二方式を含む、各種方式の定着器を有する画像形成装置において有効である。しかし本処理は、「フィルム定着方式」の定着器を有する画像形成装置において、より高い効果を発揮するといえる。これは以下の理由による。
【０１４３】
「ローラ定着方式」等の定着器では、前述したように、「フィルム定着方式」の定着器に比べ、定着ニップ部における当接圧が高い。よって、オフセットとしては、本発明の実施例１で説明した熱的要因によるオフセット（ホットオフセット）に加え、圧力要因によるオフセット（機械的オフセット）が発生する。圧力要因によるオフセットとは、定着ニップ内の高い圧力の作用により、転写材上のトナーの一部が転写材表面に留まらず、転写材から物理的に引き離され、定着ローラ上に移動する現象である。一方、「フィルム定着方式」の定着器は、当接圧が低く、熱的要因によるオフセットが支配的である。従って、本発明のトナー量ＵＰ処理が、より高い効果を発揮する。
【実施例５】
【０１４４】
上述の各実施例では、画像形成装置１００がトナー量アップ処理を行うよう説明をしてきた。しかし、この形態に必ずしも限定されるものではない。この画像形成装置１００のトナー量ＵＰ処理を、画像形成装置と接続されたホストコンピュータ１０１に行わせるようにしても良い。これにより、画像形成装置１００の構成をより簡略化でき、コストダウンにつなげることが出来る。
【０１４５】
より具体的には、ホストコンピュータ１０１は、任意のアプリケーションで作成された画像データを、画像形成装置１００が解釈できる画像情報に変換するプリンタドライバを備える。そして、このプリンタドライバが、任意のアプリケーションで作成された画像データをステップＳ８００での入力画像データとして、ステップＳ８０４の処理でトナー量ＵＰ処理を行ったＹＭＣＫの画像情報を生成する。
【０１４６】
プリンタドライバは更に、生成した画像情報をデータ圧縮し、圧縮後のデータをホストコンピュータ１０１内に予め宛先が画像形成装置に設定されたポートに出力する。ホストコンピュータ１０１はポートの設定に従ってポートに出力された圧縮後のデータを画像形成装置１００に対して送信する。
【０１４７】
そして、コントローラ１０３は、ホストコンピュータ１０１から送信されてきた圧縮後の画像データを受信し、圧縮を解凍し、解凍後の画像情報をプリンタエンジン側或いはプリンタエンジン制御部１０４に出力する。ここでプリンタエンジン側とは図２で説明したプリンタエンジン制御部１０４及びプリンタエンジンを指す。
【０１４８】
このように実施例５のように、ホストコンピュータ１０１にトナー量ＵＰ処理としての画像処理を行わせることで、画像形成装置１００の構成を簡易化できる。これにより、コストを抑えた画像形成装置で画像形成を行う場合でも、上述の実施例１乃至４と同様の効果を得ることができる。
【実施例６】
【０１４９】
上述の各実施例では、トナー量アップの対象となる注目色画像（例えばＫの画像情報）に対して相対的に視認性の低い色（例えばＣＭＹ混色）のトナー量を増加させることでトナー量アップ処理を行うよう説明してきた。
【０１５０】
しかし、余白無し印字を行うことのできる電子写真方式の画像形成装置において、余白無し印字時における定着性を良好にするという意味では、これに限定されるものではない。端部領域において、例えばＫの色に対して、同じＫ色を用いてトナー量ＵＰ処理を行うようにしても良い。この場合でも、端部領域において、実施例１乃至５の場合と比べ、若干色味の変化が大きくなるが、オフセットが発生し易い総トナー量を避けることができ、定着性を良好にできるという効果を得ることができる。
【０１５１】
［他の実施の形態］
以上、様々な実施形態を詳述したが、本発明は、複数の機器から構成されるシステムに適用してもよいし、また、一つの機器からなる装置に適用してもよい。例えば、プリンタ、ファクシミリ、ＰＣ、サーバとクライアントとを含むコンピュータシステムなどの如くである。
【０１５２】
本発明は、前述した実施形態の各機能を実現するソフトウェアプログラムを、システム若しくは装置に対して直接または遠隔から供給し、そのシステム等に含まれるコンピュータが該供給されたプログラムコードを読み出して実行することによっても達成される。
【０１５３】
従って、本発明の機能・処理をコンピュータで実現するために、該コンピュータにインストールされるプログラムコード自体も本発明を実現するものである。つまり、上記機能・処理を実現するためのコンピュータプログラム自体も本発明の一つである。
【０１５４】
その場合、プログラムの機能を有していれば、オブジェクトコード、インタプリタにより実行されるプログラム、ＯＳに供給するスクリプトデータ等、プログラムの形態を問わない。
【０１５５】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【０１５６】
また、プログラムは、クライアントコンピュータのブラウザを用いてインターネットのホームページからダウンロードしてもよい。すなわち、該ホームページから本発明のコンピュータプログラムそのもの、もしくは圧縮され自動インストール機能を含むファイルをハードディスク等の記録媒体にダウンロードしてもよいのである。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の構成要件となる場合がある。
【０１５７】
また、本発明のプログラムを暗号化してＣＤ−ＲＯＭ等の記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムをコンピュータにインストールしてもよい。
【０１５８】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部または全部を行ってもよい。もちろん、この場合も、前述した実施形態の機能が実現され得る。
【０１５９】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部または全部を行ってもよい。このようにして、前述した実施形態の機能が実現されることもある。
【図面の簡単な説明】
【０１６０】
【図１】実施例１の画像形成システム図
【図２】実施例１の画像形成装置の構成図
【図３】実施例１の画像形成装置の転写材カセットの構成図
【図４】実施例１の画像形成装置における画像サイズと転写材サイズの関係図
【図５】転写材端面のトナーの付着状態を示す斜視図
【図６】トナーがオフセットする状態を示す斜視図
【図７】実施例１の画像形成装置に付属するコントローラの構成図
【図８】実施例１の画像形成装置における画像処理に関するフローチャート図
【図９】実施例１の画像形成装置における画像処理領域図
【図１０】実施例１の画像形成装置における画像処理領域と画像パターンの関係図
【図１１】実施例１の画像形成装置における画像処理の色変換関係図
【図１２】実施例１の画像形成装置における画像処理の他の色変換関係図
【図１３】実施例１の画像形成装置における画像処理の更に他の色変換関係図
【図１４】実施例１に関する比較実験結果表
【図１５】実施例２の画像形成装置における画像処理の色変換関係図
【図１６】実施例２の画像形成装置における画像処理の他の色変換関係図
【図１７】実施例３の画像形成装置における画像処理領域図
【図１８】実施例３に関する比較実験結果表
【符号の説明】
【０１６１】
１      中間転写ベルト
１ａ    駆動ローラ
１ｂ    テンションローラ
１ｃ    二次転写対向ローラ
２      二次転写ローラ
３      定着器（定着装置に対応）
４      ベルトクリーナ
５      転写材カセット
６      給送装置
８      排出トレイ
９      給送ローラ
１０    画像形成ステーション
１１    感光体（像担持体に対応）
１２    一次帯電ローラ
１３    レーザー露光器
１４    現像器
１５    一次転写ローラ
１６    一次転写電源
１７    ドラムクリーナ
２１    二次転写電源
２２    二次転写ローラクリーナ
３０    定着フィルム
３１    加圧ローラ
５１    ピックアップローラ対
５２    長手位置規制板
６１    搬送ローラ
１００  画像形成装置
１０１  パソコン
１０２  ケーブル
１０３  コントローラ
Ｂ      画像形成拡大領域
Ａｅ    端部領域
Ａｉ    内部領域
Ｐ      転写材
【図１】
2010044108.tif 000003
【図２】
2010044108.tif 000004
【図３】
2010044108.tif 000005
【図４】
2010044108.tif 000006
【図５】
2010044108.tif 000007
【図６】
2010044108.tif 000008
【図７】
2010044108.tif 000009
【図８】
2010044108.tif 000010
【図９】
2010044108.tif 000011
【図１０】
2010044108.tif 000012
【図１１】
2010044108.tif 000013
【図１２】
2010044108.tif 000014
【図１３】
2010044108.tif 000015
【図１４】
2010044108.tif 000016
【図１５】
2010044108.tif 000017
【図１６】
2010044108.tif 000018
【図１７】
2010044108.tif 000019
【図１８】
2010044108.tif 000020